(57)【要約】データ処理が行われるコンピュータ本体（３）、前記コンピュータ本体に対して信号またはデータの授受が行われるように接続されたディスプレイ装置用のクレードル（５）、前記クレードルに着脱可能であって且つ前記クレードルまたは前記コンピュータ本体と無線通信による信号またはデータの授受が可能なワイヤレスディスプレイ（６）、前記ワイヤレスディスプレイの前記クレードルに対する着脱状態を検出する検出手段であるコネクタまたは抵抗など、および、前記クレードルから前記ワイヤレスディスプレイが取り外され且つ前記コンピュータ本体が動作中であるときに、前記コンピュータ本体における操作による電源制御を禁止する制御手段であるＮＯＲ回路（３５）または電源制御部（３３，３３Ｂ）などを有する。
2004107143.tif 000002
【特許請求の範囲】
【請求項１】
クレードルに着脱可能なワイヤレスディスプレイおよびコンピュータ本体を有したコンピュータシステムの制御方法であって、
前記クレードルから前記ワイヤレスディスプレイが取り外され且つ前記コンピュータ本体が動作中であるときに、前記コンピュータ本体における操作による電源制御を行わないように制御する、
ことを特徴とするコンピュータシステムの制御方法。
【請求項２】
クレードルに着脱可能なワイヤレスディスプレイおよびコンピュータ本体を有するコンピュータシステムのための電源制御装置であって、
前記ワイヤレスディスプレイの前記クレードルに対する着脱状態を検出する検出手段と、
前記クレードルから前記ワイヤレスディスプレイが取り外され且つ前記コンピュータ本体が動作中であるときに、前記コンピュータ本体における操作による電源制御を禁止する制御手段と、
を有することを特徴とするコンピュータシステムの電源制御装置。
【請求項３】
コンピュータシステムであって、
データ処理が行われるコンピュータ本体と、
前記コンピュータ本体に対して信号またはデータの授受が行われるように接続されたディスプレイ装置用のクレードルと、
前記クレードルに着脱可能であって且つ前記クレードルまたは前記コンピュータ本体と無線通信による信号またはデータの授受が可能なワイヤレスディスプレイと、
前記ワイヤレスディスプレイの前記クレードルに対する着脱状態を検出する検出手段と、
前記クレードルから前記ワイヤレスディスプレイが取り外され且つ前記コンピュータ本体が動作中であるときに、前記コンピュータ本体における操作による電源制御を禁止する制御手段と、
を有することを特徴とするコンピュータシステム。
【請求項４】
前記検出手段は、前記クレードルに設けられたコネクタと前記ワイヤレスディスプレイに設けられたコネクタとの接続が切れることによって前記ワイヤレスディスプレイが取り外されたことを検出する、
請求項３記載のコンピュータシステム。
【請求項５】
前記検出手段による検出信号が、前記コンピュータ本体と前記クレードルとの間に設けられた専用の信号ラインを介して前記コンピュータ本体に入力されるように構成されてなる、
請求項３または４記載のコンピュータシステム。
【請求項６】
前記検出手段は、前記コンピュータ本体にインストールされたディスプレイドライバに含まれるプログラムが実行されることによって着脱状態を検出するものであり、
前記検出手段による検出信号が、前記コンピュータ本体と前記クレードルとの間に設けられたディスプレイ用の信号ラインを用いて前記コンピュータ本体に入力されるように構成されてなる、
請求項３または４記載のコンピュータシステム。
【請求項７】
前記制御手段は、前記検出手段が前記ワイヤレスディスプレイが取り外されたことを検出した信号によって、前記コンピュータ本体における操作を無効とするようインタロックをかけるインタロック回路を含む、
請求項３または４記載のコンピュータシステム。
【請求項８】
クレードルに着脱可能なワイヤレスディスプレイおよびコンピュータ本体を有するコンピュータシステムのための電源制御用のコンピュータプログラムであって、
前記ワイヤレスディスプレイの前記クレードルに対する着脱状態を検出する処理と、
前記クレードルから前記ワイヤレスディスプレイが取り外されたことが検出され且つ前記コンピュータ本体が動作中であるときに、前記コンピュータ本体における操作による電源制御を禁止する処理と、
を前記コンピュータ本体に実行させるコンピュータプログラム。
【請求項９】
前記プログラムが記録されたコンピュータによる読み取りが可能な記録媒体。
【発明の詳細な説明】
【技術分野】  この発明は、ワイヤレスディスプレイを有したコンピュータシステムの制御方法およびコンピュータシステムに関する。特に、ワイヤレスディスプレイをケーブル接続による動作とワイヤレスによる動作とに切り替えることのできるコンピュータシステムの電源制御のために利用される。
【背景技術】  現在、リビングやキッチンなど家の中の好きな場所にディスプレイのみを持ち運んで利用することのできるコンピュータシステムが提供されている。このようなコンピュータシステムでは、コンピュータ本体が親機、ディスプレイが子機として構成され、それらの間がワイヤレスネットワークで接続される。
ディスプレイ（ワイヤレスディスプレイ）には、液晶表示デバイスなどのフラットディスプレイパネルが用いられ、二次電池を電源として動作するように、また独立して携帯可能なよう小型軽量に構成される。ディスプレイには、無線による通信機能のみならず、コンピュータとして動作するための処理機能が備えられ、データや指令の入力のためのタッチパネルも搭載される。コンピュータ本体は、棚または机上など任意の場所に設置され、ディスプレイによってコンピュータ本体がリモートで操作される。ユーザは、手に持ったディスプレイによって、Ｗｅｂサーフィンを楽しんだり、種々の情報を検索したり、電子メールのチェックを行ったり、その他種々のアプリケーションを楽しむことができる。
また、ディスプレイを立てた姿勢で保持するためのスタンドを準備し、そのスタンドにディスプレイ（ワイヤレスディスプレイ）を着脱可能としたワイヤレスネットワークシステムが提案されている（特許文献１）。提案されたシステムでは、スタンドに電源ラインが接続され、ディスプレイがスタンドに装着されているときは電源ラインから電力の供給を受けるとともに、ディスプレイに備えられた二次電池への充電が行われる。ディスプレイがスタンドから取り外されたときは、ディスプレイは二次電池を電源として動作する。ディスプレイは、別途設置されたコンピュータ本体（放送番組記録装置）と無線で通信を行い、ユーザが希望する番組を受信してその映像を表示する。
このように、ワイヤレスディスプレイを有したコンピュータシステムでは、コンピュータ本体を固定したままで、ディスプレイのみをユーザが自由に持ち運び、家中または事務所中の何処に居てもコンピュータシステムの全部またはほとんどの機能を利用することができる。
ところが、ユーザがディスプレイをコンピュータ本体とは別の部屋に持っていき、そこでしばらく使うことになると、コンピュータ本体を直接操作する必要がなくなり、コンピュータ本体の周辺には近づく必要がなくなる。そうした状況では、他の人は、コンピュータ本体の電源がオンになっているにも係わらずコンピュータ本体が使用されていないものと勘違いし、電源をオフにしてしまうことがあり得る。そうなった場合には、使用中のアプリケーションが強制的に中断され、コンピュータシステムが異常な状態で終了してしまうこととなる。そうすると、コンピュータを使用していたユーザは元の状態に復帰するために面倒な作業を行わなければならないこととなり、場合によってはデータの一部が失われてしまうこともあり得る。
【特許文献１】  特開２００２−２０４４０８
【発明の開示】
本発明の目的は、ワイヤレスディスプレイを有したコンピュータシステムにおいて、使用中であるにも係わらず使用されていないとの勘違いなどによって不測に電源がオフにされてしまうことを防止することを目的とする。
本発明の１つ態様によると、クレードルに着脱可能なワイヤレスディスプレイおよびコンピュータ本体を有したコンピュータシステムの制御方法であって、前記クレードルから前記ワイヤレスディスプレイが取り外され且つ前記コンピュータ本体が動作中であるときに、前記コンピュータ本体における操作による電源制御を行わないように制御する。
本発明の他の１つの態様によると、コンピュータシステムであって、データ処理が行われるコンピュータ本体と、前記コンピュータ本体に対して信号またはデータの授受が行われるように接続されたディスプレイ装置用のクレードルと、前記クレードルに着脱可能であって且つ前記クレードルまたは前記コンピュータ本体と無線通信による信号またはデータの授受が可能なワイヤレスディスプレイと、前記ワイヤレスディスプレイの前記クレードルに対する着脱状態を検出する検出手段と、前記クレードルから前記ワイヤレスディスプレイが取り外され且つ前記コンピュータ本体が動作中であるときに、前記コンピュータ本体における操作による電源制御を禁止する制御手段とを有する。
【図面の簡単な説明】  図１は本発明に係る第１の実施形態のコンピュータシステムの概略構成を示す図、図２Ａはクレードルの外観の例を示す斜視図、図２Ｂはディスプレイの外観の例を示す斜視図、図３はコンピュータシステムの回路構成を示すブロック図、図４はディスプレイの着脱状態に応じた電源スイッチの操作による制御状態を示す図、図５はコンピュータシステムにおける制御内容を示すフローチャート、図６は本発明に係る第２の実施形態のコンピュータシステムの回路構成を示すブロック図である。
【発明を実施するための最良の形態】〔第１の実施形態〕
図１において、コンピュータシステム１は、コンピュータ本体３、ディスプレイ装置４、およびこれらの間を接続するケーブル７などから構成される。
コンピュータ本体３は、ＣＰＵ、ＲＡＭ、ＲＯＭ、他の周辺素子、種々のインタフェース、ハードディスク、光磁気ディスクなどを備え、ＯＳ（Ｏｐｅｒａｔｉｎｇ  Ｓｙｓｔｅｍ）の下で種々のアプリケーションが実行され、種々のデータ処理が行われる。ＣＤ−ＲＯＭまたはフレキシブルディスクなどの種々の記録媒体ＳＴへの読み書きが可能である。電源プラグを電源ラインに接続することによって交流電力の供給を受ける。電源スイッチＳＷ１が設けられており、これを操作することによって、電源をオンし、電源をオフし、またはリセットをかけることができる。但し、本実施形態のコンピュータシステム１では、ディスプレイ装置４の着脱状態によっては電源スイッチＳＷ１の操作が無効とされることがある。詳細については後述する。また、図示は省略したが、コンピュータ本体３には、プリンタ、マウス、キーボード、ネットワークへの通信回線などが接続されまたは接続可能である。
ディスプレイ装置４は、クレードル５、クレードル５に着脱可能なディスプレイ６からなる。
図２によく示されるように、クレードル５は、ディスプレイ６を立てた姿勢で保持するためのスタンドであり、台部１１、および台部１１に対してチルト可能な保持部１２を有する。保持部１２には、ディスプレイ６を嵌め込んで装着するために、両側部に保持面１３ａ，１３ｂが設けられ、下部に保持面１３ｃが設けられている。保持面１３ｃの上面には、ディスプレイ６が装着されたときに信号の授受を行うためのコネクタＣＮ４〜６が設けられている。ディスプレイ６を装着することによって、それらのコネクタＣＮ４〜６とディスプレイ６に設けられたコネクタＣＮ１〜３とが接続される。保持部１２の背面には、ケーブル７を接続するためのコネクタＣＮ７〜８が設けられている。保持部１２の前面両側にはスピーカＳＰ１，ＳＰ２が設けられている。
ディスプレイ６は、タッチパネル付きの液晶表示デバイスなどを用いて正面視が長方形状に形成されている。底面にはコネクタＣＮ１〜３が、上面両側には小型のスピーカＳＰ３，ＳＰ４が、正面縁部にはスイッチＳＷ４およびＵＳＢコネクタＣＮ１１が設けられている。スイッチＳＷ４はコンピュータ本体３の電源のオンオフおよびリセットなどをリモート制御するために用いられる。ＵＳＢコネクタＣＮ１１にはマウスなどを接続することが可能である。
ディスプレイ６は、クレードル５に装着したときにはコネクタＣＮ１〜３を介して映像信号や電源を取得し、クレードル５から取り外されたときには、内蔵したバッテリを電源として動作するとともに、無線通信によって映像信号をクレードル５から受信しまた種々の信号やデータを送受信する。このように、ディスプレイ６は、クレードル５と無線によって通信し信号やデータの交換を行うことのできるワイヤレスディスプレイである。
ケーブル７は、コネクタＣＮ７とコネクタＣＮ８とを接続する第１のケーブル、および、コネクタＣＮ９とコネクタＣＮ１０とを接続する第２のケーブルの２本のケーブルが用いられる。この場合に、第１のケーブルは検出信号Ｓ２の伝送のための専用ケーブルである。しかし、第１のケーブルおよび第２のケーブルを１つのケーブルにまとめてもよい。
次に、各部の回路構成および機能について詳しく説明する。但し、各部が通常備える公知の回路および機能については説明および図示を省略しまたは簡略化し、主として本実施形態に特徴的な構成のみについて説明する。
図３に示されるように、コンピュータ本体３には、電源プラグ３１、電源回路部３２、信号制御部３３、映像信号出力部３４、ＮＯＲ回路３５、抵抗Ｒ２，Ｒ３，Ｒ４、コネクタＣＮ９〜１０、および上に述べた電源スイッチＳＷ１などが設けられている。
電源プラグ３１を電源ラインに接続することにより、電源スイッチＳＷ２がオンの状態で、電源回路部３２がスタンバイ状態となる。電源回路部３２は、信号制御部３３からの信号に応じて、スタンバイ状態が維持され、または動作状態となる。スタンバイ状態では、コンピュータシステム１の各部の監視や立ち上げなどに必要な最小限の電源のみが供給される。動作状態では、コンピュータシステム１の通常動作に必要な電源が供給される。
信号制御部３３は、ＮＯＲ回路３５の出力信号（制御信号）Ｓ３に基づいて、電源回路部３２の制御に必要な信号、およびＣＰＵをハード的またはソフト的にリセットするために必要な信号を出力する。
映像信号出力部３４は、ディスプレイ６に表示すべき映像信号、スピーカＳＰで再生すべき音声信号、同期信号、その他の必要な信号を出力する。
電源スイッチＳＷ１は、ユーザなどが指で押すことによって操作可能であり、押したときにオンし離すとオフする。電源スイッチＳＷ１がオンのときには、ＮＯＲ回路３５の一方の入力端子は抵抗Ｒ４を介して接地される。したがって、電源スイッチＳＷ１がオフのときは、抵抗Ｒ３を介して制御電圧Ｖｃに接続されたＮＯＲ回路３５の入力信号（操作信号）Ｓ１は、「Ｈ」の状態である。電源スイッチＳＷ１がオンしている間は、入力信号Ｓ１は「Ｌ」の状態となる。
ＮＯＲ回路３５の他方の入力端子は、抵抗Ｒ２を介して制御電圧Ｖｃに接続されており、ディスプレイ６の着脱状態に応じて「Ｌ」「Ｈ」のいずれかの状態となる。すなわち、ディスプレイ６がクレードル５に装着されているときは、その入力端子は、コネクタＣＮ９、コネクタＣＮ７、コネクタＣＮ４、コネクタＣＮ１、および抵抗Ｒ１を介して接地され、入力信号（検出信号）Ｓ２は「Ｌ」の状態となる。ディスプレイ６がクレードル５から取り外されると、コネクタＣＮ４とコネクタＣＮ１との接続が切れるので、抵抗Ｒ１を介して接地されなくなり、検出信号Ｓ２は「Ｈ」の状態となる。このように、抵抗Ｒ１による接地の有無によってディスプレイ６の着脱状態が検出され、検出信号Ｓ２としてＮＯＲ回路３５に入力される。つまり、検出信号Ｓ２が「Ｌ」「Ｈ」のいずれの状態であるかによって、ディスプレイ６が装着されているかまたは取り外されているかが判別されることとなる。検出信号Ｓ２は、後述する無線通信ユニット５３の制御のためにも用いられており、その他の制御に用いることも可能である。
なお、抵抗Ｒ１，Ｒ４は１ＫΩ、抵抗Ｒ２，Ｒ３は１００ＫΩとしたが、これらの抵抗値、および制御電圧Ｖｃの値などは種々変更することが可能である。
ＮＯＲ回路３５は、２つの入力信号Ｓ１，Ｓ２がともに「Ｌ」の場合に出力信号Ｓ３を「Ｈ」とし、入力信号Ｓ１，Ｓ２のうちの１つでも「Ｈ」の場合に出力信号Ｓ３を「Ｌ」とする。
したがって、ディスプレイ６がクレードル５に装着され、つまりコネクタＣＮ１〜３とコネクタＣＮ４〜６とが接続され、これによって検出信号Ｓ２が「Ｌ」となっている場合は、電源スイッチＳＷ１の操作に応じて出力信号Ｓ３が「Ｈ」または「Ｌ」に切り替わる。つまり、この場合には電源スイッチＳＷ１の操作が有効である。具体的には、電源スイッチＳＷ１がオンの場合には信号Ｓ１が「Ｌ」となり、これによって出力信号Ｓ３は「Ｈ」となる。電源スイッチＳＷ１がオフの場合には信号Ｓ１が「Ｈ」となり、これによって出力信号Ｓ３は「Ｌ」となる。
これに対して、ディスプレイ６がクレードル５から取り外され、つまりコネクタＣＮ１〜３とコネクタＣＮ４〜６とが分離され、これによって検出信号Ｓ２が「Ｈ」となっている場合は、信号Ｓ１の状態つまり電源スイッチＳＷ１のオンオフの如何に係わらず、出力信号Ｓ３は「Ｌ」となる。つまり、この場合には電源スイッチＳＷ１の操作が無効とされ、電源スイッチＳＷ１を操作しても出力信号Ｓ３は「Ｌ」のままであり、電源回路部３２の動作状態を切り替えることはできず、且つリセットをかけることもできない。つまり、電源スイッチＳＷ１の操作による操作信号Ｓ１に対して、検出信号Ｓ２によるインタロックがかけられていることとなる。つまり、ディスプレイ６が取り外され且つコンピュータ本体３が動作中であるときに、電源スイッチＳＷ１の操作による電源制御を行わないように制御されている。このように、ＮＯＲ回路３５はインタロック回路であるとすることができる。
例えば、図４に示すように、検出信号Ｓ２が「Ｌ」の状態で、電源スイッチＳＷ１の操作によって操作信号Ｓ１が入力されると、それに応じて制御信号Ｓ３が出力され、電源回路部３２が動作状態に切り替わる。その状態で、電源スイッチＳＷ１が設定された時間Ｔ１を越えてオンすると、電源回路部３２がスタンバイ状態に切り替わる。しかし、検出信号Ｓ２が「Ｈ」の状態では、電源スイッチＳＷ１を操作しても制御信号Ｓ３が出力されず、したがって、動作状態である電源回路部３２はスタンバイ状態に切り替わることがなく、またリセットもかからない。
なお、図４に示す電源制御の内容は単なる一例であり、電源スイッチＳＷ１をどのように操作するか、電源回路部３２をどのように制御するか、またどのようにリセットをかけるかなど、電源制御の内容または制御シーケンスは種々変更することができる。
また、電源スイッチＳＷ１をリセットのためのスイッチと共通としたが、それらを個別に設けてもよい。その場合に、電源スイッチおよびリセットスイッチのそれぞれに対して、上に述べたように検出信号Ｓ２によるインタロックをかけるようにすればよい。
クレードル５には、電源プラグ５１、電源回路部５２、無線通信ユニット５３、アンテナ部５４、および、上に述べたコネクタＣＮ４〜８などが設けられている。
電源プラグ５１を電源ラインに接続することにより、電源回路部５２が動作状態となる。電源回路部５２からコネクタＣＮ６を介してディスプレイ６に電力が供給される。なお、電源プラグ５１を用いることなく、コンピュータ本体３の電源回路部３２から電力を供給するように構成することも可能である。
無線通信ユニット５３およびアンテナ部５４は、ディスプレイ６に設けられた無線通信ユニット６２およびアンテナ部６３との間で無線による通信を行い、種々のデータの授受を行う。第１の実施形態においては、互いにこれらの間においてのみ、つまり１対１でのみ通信可能である。しかし、通信相手を選択するためのコードを設定可能とし、他のディスプレイ装置や一般の無線ＬＡＮなどをも通信相手とするように設定変更を行えるようにすることも可能である。無線ＬＡＮを用いる場合には、例えば、ＩＥＥＥ規格の８０２．１１ａ、８０２．１１ｂ、８０２．１１ｇなどを用いることができる。なお、無線通信ユニット５３，６２は、ディスプレイ６がクレードル５から取り外されたときのみ動作するようになっており、ディスプレイ６が装着されている場合は動作を停止する。しかし、ディスプレイ６の着脱状態に関係なく無線通信ユニット５３，６２が動作するように構成することも可能である。
ディスプレイ６には、電源回路部６１、無線通信ユニット６２、アンテナ部６３、信号処理部６４、信号制御部６５、表示部６６、および、上に述べたコネクタＣＮ１〜３、ＣＮ１１、スピーカＳＰ３，ＳＰ４、抵抗Ｒ１などが設けられている。
電源回路部６１は、給電回路６１１、充電給電制御回路６１２、充電回路６１３、バッテリ残量メータ６１４、およびバッテリ（二次電池）ＢＴなどを備える。
給電回路６１１は、電源スイッチＳＷ３がオンの状態で、クレードル５の電源回路部５２から供給される電力によって動作し、必要な電力を各部に供給する。充電給電制御回路６１２は、信号制御部６５からの制御に応じて、充電回路６１３およびバッテリ残量メータ６１４を制御する。充電回路６１３は、バッテリＢＴを充電する。バッテリ残量メータ６１４は、バッテリＢＴの残量を検出し、表示する。
なお、ディスプレイ６が取り外されるなどによってクレードル５から電力が供給されなくなった場合には、給電回路６１１に供給される電圧が０となりまたは低下するので、これが検出され、自動的にバッテリＢＴからの給電に切り替えられる。
無線通信ユニット６２およびアンテナ部６３は、上に述べたように、クレードル５に設けられた無線通信ユニット５３およびアンテナ部５４との間で無線による通信を行い、クレードル５から映像信号、音声信号、その他の信号およびデータを受信し、また相互に種々のデータの交換を行う。
信号処理部６４は、種々の信号およびデータの処理を行い、また種々のインタフェースの機能を果たす。信号制御部６５はディスプレイ６の各部を制御する。表示部６６は、上に述べたように、タッチパネルを搭載した液晶表示デバイスである。信号処理部６４から出力される映像信号に応じた画像を表示する。表示部６６での表示に際し、ディスプレイ６が取り外されている場合に、無線通信によるデータ量を低減するために解像度を落として表示してもよい。表示部６６のタッチパネルから入力された信号は、信号処理部６４に入力され、所定の処理が施された後、無線通信ユニット６２を介してクレードル５に送信される。
抵抗Ｒ１は、上に述べたように、ディスプレイ６の着脱状態を検出するためのものであり、コネクタＣＮ１とコネクタＣＮ４とが接続されたときに検出信号Ｓ２を接地して「Ｌ」の状態とする。
なお、ディスプレイ６には、ＣＰＵ、ＲＯＭ、ＲＡＭなどが搭載されており、コンピュータとしての機能を有している。
上に述べたコンピュータシステム１によると、ディスプレイ６をクレードル５から取り外した場合に、それが自動的に検出され、電源スイッチＳＷ１の操作が無効となる。したがって、ディスプレイ６をコンピュータ本体３とは別の部屋に持っていって使用している場合に、コンピュータ本体３が使用中であるにも係わらず使用されていないとの勘違いなどによって不測に電源がオフにされてしまうことが防止される。
ディスプレイ６をクレードル５に装着した場合には、それが自動的に検出され、電源スイッチＳＷ１の操作が有効となり、通常通りの操作によって電源をオフし、または電源をオンし、またはリセットをかけることができる。
なお、ディスプレイ６がクレードル５から取り外されている場合に、コンピュータ本体３の電源をオフにするには、通常の操作によってアプリケーションを終了させ、またＯＳを終了させてシャットオフすればよい。また、強制的にコンピュータ本体３の電源をオフさせまたはリセットさせるには、スイッチＳＷ４を操作すればよい。ディスプレイ６での操作によってコンピュータ本体３の電源をオンにするには、スイッチＳＷ４を操作する。これらの場合に、スイッチＳＷ４の操作に応じた信号が、無線通信ユニット６２を介してクレードル５に送信され、それがコンピュータ本体３に送られる。コンピュータ本体３では、その信号に応じて、信号制御部３３または電源回路部３２が制御される。
したがって、コンピュータ本体３の電源がオフのときにも無線通信ユニット６２を動作状態としておくか、または、スイッチＳＷ４を操作したときに無線通信ユニット６２が動作状態となるようにしておけばよい。
また、スイッチＳＷ４を用いない場合またはスイッチＳＷ４を設けない場合は、ディスプレイ６をクレードル５に一旦装着して電源スイッチＳＷ１を操作すればよい。
上に述べた第１の実施形態では、制御信号Ｓ３を得るためにＮＯＲ回路３５を用いたが、ＮＡＮＤ回路、ＡＮＤ回路やＯＲ回路などの組合せ、その他の種々のインタロック回路を用いることも可能である。ディスプレイ６において、抵抗Ｒ１の両端の電圧を検出することによってディスプレイ６の着脱状態を検出することが可能である。抵抗Ｒ１をディスプレイ６ではなくクレードル５に設け、その抵抗Ｒ１の一端をコネクタＣＮ４に接続し且つコネクタＣＮ１にジャンパー線を接続しておき、コネクタＣＮ４における抵抗Ｒ１の端子と検出信号Ｓ２のための端子とをコネクタＣＮ１のジャンパー線で短絡するようにしてもよい。クレードル５およびディスプレイ６の一方または両方に相手方の存在を検出するためのセンサーを設け、そのセンサーの出力信号を検出信号Ｓ２として用いてもよい。
その他、ディスプレイ６の着脱状態の検出のために種々の回路または機構を用いることができる。
〔第２の実施形態〕
次に、第２の実施形態のコンピュータシステム１Ｂについて説明する。
第２の実施形態のコンピュータシステム１Ｂは、ディスプレイ６の着脱状態の検出方法、および検出信号Ｓ２をコンピュータ本体３に伝送する方法が、第１の実施形態のコンピュータシステム１と異なるが、その他については同様である。したがって、第１の実施形態のコンピュータシステム１と同じ機能を有する部分には同じ符号を付し、説明を省略しまたは簡略化する。
第２の実施形態では、ディスプレイ装置４を制御するためのソフトウエアであるディスプレイドライバによって、ディスプレイ６の着脱状態を検出する。すなわち、ディスプレイ装置４の制御のためのディスプレイドライバをコンピュータ本体３にインストールする必要があるが、そのディスプレイドライバにディスプレイ６の着脱状態を検出するためのプログラムを組み込んでおく。そのようなプログラムは、例えば、無線通信ユニット５３が動作しているか否かをチェックするものである。または、コネクタＣＮ２，３とコネクタＣＮ５，６との接続状態をチェックする。そのようなチェックは、例えば数秒の間に１回程度の割合で実行されればよい。チェックのための指令データおよびチェックの結果を示すデータは、ディスプレイ装置４との間で信号またはデータの授受を行うラインを用い、符号化することによって、または必要に応じて時分割で利用することによって、伝送することができる。
プログラムによる処理の概略をフローチャートによって説明する。
図５において、ディスプレイ６Ｂの着脱状態をチェックし（＃１１）、ディスプレイ６Ｂが取り外されている場合に（＃１２でイエス）、またコンピュータ本体３Ｂが動作中であるときに、コンピュータ本体３Ｂにおける電源スイッチＳＷ１などの操作による電源制御を禁止する（＃１３）。
このようなプログラムは、ＣＤ−ＲＯＭまたはフレキシブルディスクなどの記録媒体ＳＴによって提供することができる。また、通信回線を介してサーバからダウンロードするようにしてもよい。
ケーブル７Ｂとして、アナログ信号の伝送のためのＤ−ＳＵＢケーブルが用いられる。ケーブル７Ｂには、ＤＤＣ（Ｄｉｓｐｌａｙ  Ｄａｔａ  Ｃｈａｎｎｅｌ）ラインという信号ラインが存在する。ＤＤＣラインは、プラグ・アンド・プレイ・ディスプレイの情報をやり取りするためのものである。したがって、その機能を利用して、ディスプレイ６の着脱状態のチェックおよびチェックの結果のデータを得ることができる。
図６において、コンピュータシステム１Ｂは、コンピュータ本体３Ｂ、ディスプレイ装置４Ｂ、およびこれらの間を接続するケーブル７Ｂなどから構成される。ディスプレイ装置４Ｂは、クレードル５Ｂおよびディスプレイ６Ｂから構成される。
コンピュータ本体３Ｂには、ディスプレイドライバＤＤがインストールされている。ディスプレイドライバＤＤは、上に述べたように、ディスプレイ６Ｂの着脱状態を５〜１０秒間隔でチェックし、チェックの結果得られた検出信号Ｓ２Ｂを電源制御部３３Ｂに送る。電源制御部３３Ｂは、電源スイッチＳＷ１の操作に応じて電源回路部３２を制御するが、検出信号Ｓ２Ｂによって上に述べたようなインタロックがかかっている。
クレードル５Ｂには、ディスプレイ条件判別部５５が設けられている。ディスプレイ条件判別部５５は、無線通信ユニット５３が動作しているか否かのチェックを実行し、その結果である検出信号Ｓ２ＢをＤＤＣラインに送り出す。
無線通信ユニット５３には、その動作を制御するための制御端子ＴＢ１が設けられている。制御端子ＴＢ１は、コネクタＣＮ６に接続され、且つ抵抗Ｒ５を介して接地されている。また、ディスプレイ６Ｂに設けられたコネクタＣＮ３には、抵抗Ｒ６を介して制御電圧Ｖｃが接続されている。
ディスプレイ６Ｂが装着されているときは、制御端子ＴＢ１は、コネクタＣＮ６、コネクタＣＮ３、および抵抗Ｒ６を介して制御電圧Ｖｃが印加される。これによって、ディスプレイ６Ｂの装着が検出され、無線通信ユニット５３は動作を停止する。ディスプレイ６Ｂが取り外されると、コネクタＣＮ３とコネクタＣＮ６との接続が切れるので、制御電圧Ｖｃが印加されなくなり、無線通信ユニット５３は動作状態となる。なお、制御端子ＴＢ１には、抵抗Ｒ６と抵抗Ｒ５によって制御電圧Ｖｃを分圧した電圧が印加される。したがって、ディスプレイ６Ｂにおいても、抵抗Ｒ６のコネクタＣＮ３に接続された側の端子の電圧を監視することによって、ディスプレイ６Ｂの着脱状態が検出される。抵抗Ｒ６，Ｒ５の値は、例えば５０ＫΩであるが、これらの抵抗値および抵抗値の比を適当に選定することができる。
上に述べた第２の実施形態においては、無線通信ユニット５３が動作しているか否かをチェックして検出信号Ｓ２Ｂを生成したが、コネクタＣＮ３とコネクタＣＮ６との接続状態を直接にチェックしてもよい。その他、ディスプレイ６の着脱状態をチェックしまたは検出するために、種々の回路または機構を用いることができる。
第２の実施形態においても、第１の実施形態の場合と同様に、ディスプレイ６Ｂをクレードル５Ｂから取り外した場合に、それが自動的に検出されまたはチェックされ、電源スイッチＳＷ１の操作が無効となる。したがって、コンピュータ本体３Ｂが使用中であるにも係わらず使用されていないとの勘違いなどによって不測に電源がオフにされてしまうことが防止される。
また、ディスプレイ６の着脱状態をディスプレイドライバＤＤによってチェックし、ＤＤＣラインによって検出信号Ｓ２Ｂを得るので、コンピュータ本体３とディスプレイ装置４とを接続するケーブル７Ｂとして標準のケーブルを用いることができる。
上に述べた実施形態において、ディスプレイ６，６Ｂが取り外された状態では、コンピュータ本体３，３Ｂが動作中であるときに電源スイッチＳＷ１の操作を無効とした。つまり、コンピュータ本体３，３Ｂが通常の処理を行っているときに電源スイッチＳＷ１の操作によって動作が中断されないようにした。しかし、コンピュータ本体３，３Ｂが動作中でないとき、例えば、省電力モードや待機モードに入ったときにも、電源スイッチＳＷ１の操作を無効としてもよい。また、電源スイッチＳＷ１の操作を行ったときに、コンピュータ本体３を停止させる方向に向かう電源制御のみを禁止し、コンピュータ本体３を動作させる方向に向かう電源制御、例えば省電力モードや待機モードから通常のモードに戻す制御、電源をオンにするなどは禁止しないようにしてもよい。
本発明に係る方法を実行するためのプログラムの記録媒体ＳＴとして、コンピュータ本体３，３Ｂに設けられた主メモリ、ＲＡＭ、ＲＯＭ、若しくはハードディスクなどの記憶装置、ＣＤ−ＲＯＭ、フロッピーディスク、若しくは光磁気ディスクなどの可搬媒体、ネットワーク若しくは通信回線で結ばれたサーバ若しくはＤＡＳＤなどの回線先媒体を利用することが可能である。
記録媒体ＳＴが可搬媒体である場合には、プログラムは可搬媒体の種類に対応するドライブ装置によって読み出され、コンピュータ本体の記憶装置に格納され又は主メモリ上にローディングされ、実行される。記録媒体ＳＴが回線先媒体である場合には、プログラムは通信回線を介して記憶装置にダウンロードされ、または適時転送されて実行される。プログラムは、種々のＯＳ、プラットホーム、システム環境、又はネットワーク環境の下で動作するように供給可能である。
上に述べた実施形態において、コンピュータシステム１，１Ｂの各部または全体の構成、回路、使用する素子、素子定数、個数、レイアウト、電圧値などは、本発明の趣旨に沿って適宜変更することができる。本発明のコンピュータシステムには、ＣＰＵまたはマイクロプロセッサを用いて構成された種々の装置、例えば、ビデオ再生装置、テレビジョン受像装置、その他の映像出力装置、家庭用または業務用の種々の装置が含まれる。それらの装置において、ディスプレイ装置４とは別体に構成されＣＰＵなどが搭載されてデータ処理機能を有する部分がコンピュータ本体となり得る。
【産業上の利用可能性】  以上のように、本発明は、ディスプレイをクレードルから取り外した場合に、それが自動的に検出されまたはチェックされ、電源スイッチまたはリセットスイッチなどの操作が無効となる。したがって、コンピュータ本体が使用中であるにも係わらず使用されていないとの勘違いなどによって不測に電源がオフにされてしまうことが防止される。本発明は、ワイヤレスディスプレイを有したコンピュータシステムに有用である。
【図１】
2004107143.tif 000003
2004107143.tif 000004
【図３】
2004107143.tif 000005
【図４】
2004107143.tif 000006
【図５】
2004107143.tif 000007
【図６】
2004107143.tif 000008
【国際調査報告】
2004107143.tif 000009
2004107143.tif 000010